(57)【要約】  【課題】  外部からのリモコン装置の信号を遮断する状態と受信する状態を簡単に切り替えることができる電子機器の構造を提供する。  【解決手段】  本体内基板に赤外光を利用したリモコンの受光素子を実装している電子機器において、前記受光素子の近傍に前記電子機器の外装部品を係止するビスが配置してあり、前記ビスは前記電子機器の内部の板金に設けられた貫通したビス穴に固定されており、前記受光素子の受光部中心と前記ビス穴中心が略一致とした。【選択図】  図５
2013186281.tif 000002
【特許請求の範囲】
【請求項１】
本体内基板に赤外光を利用したリモコンの受光素子を実装している電子機器において、
前記受光素子の近傍に前記電子機器の外装部品を係止するビスが配置してあり、
前記ビスは前記電子機器の内部の板金に設けられた貫通したビス穴に固定されており、
前記受光素子の受光部中心と前記ビス穴中心が一致することを特徴とする電子機器。
【発明の詳細な説明】
【技術分野】
【０００１】
本発明はリモコン受光素子を備える電子機器に関するものである。
【背景技術】
【０００２】
ビデオカメラやデジタルカメラなどの電子機器は工場出荷時や修理時の機器調整用としてサービスモードを有している。このような電子機器では内部に配置された基板に外部からコネクタを差し込み、修理時の機器調整を行っていた（参考文献１参照）。
【０００３】
しかし開口部の隙間から静電気が入り込むことでおこる部品破壊を防ぐことは困難であった。そこで、開口部にコネクタを挿しこまない方法として、電子機器の外部から赤外発光のリモコン装置を利用し、電子機器に内蔵されているリモコン受光素子に対して信号の送信を行い、電子機器を調整する方法が考えられている（参考文献２参照）。
【先行技術文献】
【特許文献】
【０００４】
【特許文献１】特開２００７−２２０５３０号公報
【特許文献２】特開２００２−１０３７６号公報
【発明の概要】
【発明が解決しようとする課題】
【０００５】
しかしながら電子機器が外部からのリモコン装置の信号を常時受信できる状態であると、リモコン装置内部での導電体の接触不良などで、ユーザーが意図してなくてもサービスモードに切り換わってしまい本体の調整値を変更して、電子機器を破壊してしまう可能性があった。
【０００６】
そのためユーザーが電子機器を使用する際には外部からのリモコン装置の信号を受信できない状態にして、サービスモードを使用する際にのみ外部からのリモコン装置の信号を受信できる状態に切り替えることができる電子機器が求められていた。
【課題を解決するための手段】
【０００７】
上記目的を達成するため、請求項１の電子機器は、
本体内基板に赤外光を利用したリモコンの受光素子を実装している電子機器において、
前記受光素子の近傍に前記電子機器の外装部品を係止するビスが配置してあり、
前記ビスは前記電子機器の内部の板金に設けられた貫通したビス穴に固定されており、
前記受光素子の受光部中心と前記ビス穴中心が略一致することを特徴としている。
【発明の効果】
【０００８】
本発明の構成によれば、
ビスをはずしたときのみビス穴を通して、外部のリモコン装置の信号をリモコン受光素子に到達させることができ、本体の電気調整などができる。ビス装着時には、外部のリモコン装置が使用できない状態になり、電子機器の誤作動を防止できる。
【図面の簡単な説明】
【０００９】
【図１】表示ユニット１５が開かれた状態のカメラ本体１１の斜視図
【図２】図１のＡ方向から見たカメラ本体１１の側面図
【図３】フロントカバー２１を取り除いたカメラ本体１１の図
【図４】ビス２２が付いている時の図２におけるＢ−Ｂ断面拡大図
【図５】ビス２２が付いていない時の図２におけるＢ−Ｂ断面拡大図
【発明を実施するための形態】
【００１０】
＜第１の実施形態＞
以下、本発明の実施例について図を参照しながら説明する。
【００１１】
図１に、本発明の実施例である撮像機器としてのビデオカメラの外観を示す。カメラ本体１１には、レンズの光学ズームを変更するズームレバー１２、ビデオカメラの電源ボタン１３、動画の撮影を行うためのトリガーボタン１４、開閉可動な画像を表示する表示ユニット１５が設けられている。またカメラ本体１１の内部には、画像や音声を記録したり再生したりする記録再生部が設けられている。また本体後面にはバッテリーを取り付けるためのバッテリー収納部１６やバッテリーをロックするためのバッテリーロックノブ１７が配置されている。表示ユニット１５を閉じた際に収納される収納部カバー１８には操作ボタン１９が設けられており、撮影時のモードの設定や各種機能の変更操作をすることができる。
【００１２】
図２は図１のＡ方向から見たカメラ本体１１の側面図である。グリップカバー２０とフロントカバー２１がビス２２によって、後述のカメラ本体１１の内部の板金２３に止められており、グリップカバー２０とフロントカバー２１を固定している。ここでビス２２の中心を通る断面を断面Ｂ−Ｂとする。
【００１３】
図３はフロントカバー２１を取り外した状態のカメラ本体１１の図である。基板２４上にはリモコン素子２５が実装されており、リモコン素子２５の受光部の中心が板金２３に止められているビス２２の先端部とほぼ同一高さに位置している。
【００１４】
図４はビスが付いている時の図２におけるＢ−Ｂ断面図である。リモコン装置の信号３０を透過させないグリップカバー２０とフロントカバー２１、また板金２３に設けられたビス穴に止められているビス２２よってカメラ本体１１の外部からのリモコン装置の信号３０がリモコン素子２５に到達するのを防ぐ。そのためにビス２２を止めている時は、カメラ本体１１を外部のリモコン装置から操作することができない。
【００１５】
図５はビスが付いていない時の図２におけるＢ−Ｂ断面図である。図４でリモコン装置の信号３０を遮断していたビス２２が無いために、グリップカバー２０とフロントカバー２１に設けられた穴、板金２３のビス穴を通過してカメラ本体１１の内部にあるリモコン素子２５にリモコン装置の信号３０が到達することができる。
【００１６】
以上のように構成されたカメラ本体１１はサービスモードでの作業を行うためだけにリモコン素子２５を備え、ビス２２が付いていてリモコンが効かない状態から、ビス２２をはずすことでリモコンが効く状態に簡単に移行することができる。またサービスモードでの作業が終了すればカメラ本体１１のビス２２を付けておくことにより、その後の誤動作を防止できる。
【００１７】
以上、ビデオカメラの操作ボタン部周辺の構造について詳述してきたが、本発明はこれら特定の実施形態に限られるものではなく、この発明の要旨を逸脱しない範囲の様々な形態も本発明に含まれる。部品の形状は任意に変更は可能である。また上述の実施形態の一部を適宜組み合わせてもよい。なお直接明細書および図面に記載がないいずれかの形状や構造や材質であっても、本発明の作用・効果を奏する以上、本発明の技術的思想の範囲内である。
【符号の説明】
【００１８】
１１‥‥カメラ本体
１２‥‥ズームノブ
１３‥‥電源ボタン
１４‥‥トリガーボタン
１５‥‥表示ユニット
１６‥‥バッテリー取り付け部
１７‥‥バッテリーロックノブ
１８‥‥収納部カバー
１９‥‥操作ボタン
２０‥‥グリップカバー
２１‥‥フロントカバー
２２‥‥ビス
２３‥‥板金
２４‥‥基板
２５‥‥リモコン素子
３０‥‥リモコン装置の信号
【図１】
2013186281.tif 000003
【図２】
2013186281.tif 000004
【図３】
2013186281.tif 000005
【図４】
2013186281.tif 000006
【図５】
2013186281.tif 000007